(57)【特許請求の範囲】
【請求項１】
被写体を撮像し画像信号を出力する撮像手段と、
前記画像信号を記録可能な記録手段と、
前記記録手段に記録されている画像信号を、外部装置へ送信する通信手段と、
記録媒体が着脱可能に取り付けられる取付手段と、
前記撮像手段が出力した画像信号を前記記録媒体へ記録可能か記録不可能かを判定する判定手段と、
前記判定手段が前記記録可能と判定した場合には、前記撮像手段が出力した画像信号を前記記録手段および前記記録媒体の両方へ記録し、前記判定手段が前記記録不可能と判定した場合には、前記撮像手段が出力した画像信号を前記記録手段へ記録し前記記録媒体には記録しない第１の記録制御手段と、
前記撮像手段の出力した画像信号が前記第１の記録制御手段により前記記録手段および前記記録媒体の両方へ記録されたか否かを表すバックアップ有無情報を記録する第２の記録制御手段と、
前記バックアップ有無情報に基づいて、前記記録手段に記録されている画像信号のうち同一の画像信号が前記記録媒体にも記録されている画像信号を、前記通信手段を介して前記外部装置へ送信し、送信した前記画像信号を前記記録手段から削除する削除手段と、
を備えることを特徴とするカメラ。
【請求項２】
請求項１に記載のカメラにおいて、
前記外部装置は、前記画像信号を管理するための管理装置であることを特徴とするカメラ。
【請求項３】
請求項１または２に記載のカメラにおいて、
前記第２の記録制御手段は、前記削除手段による画像信号の削除に応じて、前記削除さ
れた画像信号に対応するバックアップ有無情報を削除することを特徴とするカメラ。
【請求項４】
請求項３に記載のカメラにおいて、
前記第１の記録制御手段は、前記撮像手段が出力した画像信号を前記記録手段へ記録す
る際、前記記録手段の空き容量が不足していた場合には、前記削除手段に前記記録手段の
空き容量を確保させることを特徴とするカメラ。
【請求項５】
請求項１から４のいずれか１項に記載のカメラにおいて、
前記記録手段に記録されている画像信号のうち同一の画像信号が前記記録媒体にも記録されている画像信号を、前記通信手段を介して前記外部装置へ送信する際、前記バックアップ有無情報が前記外部装置に送信されることを特徴とするカメラ。
【発明の詳細な説明】
【技術分野】
【０００１】
本発明は、通信機能を有するカメラに関する。
【背景技術】
【０００２】
電子カメラにより撮影した撮影画像を、外部の端末へ通信回線を用いて転送する技術が知られている（例えば特許文献１）。この電子カメラは外付けの無線アダプタを有し、撮影が行われる度に、撮影画像を可搬性の記録媒体に記録すると共に、撮影画像を無線アダプタへ送信する。無線アダプタは、撮影画像を通信用のバッファメモリへ記録し、このバッファメモリ内の撮影画像を外部の管理装置へ送信する。バッファメモリの容量が不足した場合には、バッファメモリ中の撮影画像のうち最も古い撮影画像が削除される。
【先行技術文献】
【特許文献】
【０００３】
【特許文献１】特開２００９−３８６１５号公報
【発明の概要】
【発明が解決しようとする課題】
【０００４】
特許文献１に記載された電子カメラにおいて、例えば記録媒体の容量を使い切ったり、記録媒体を交換するために電子カメラから取り外した等、記録媒体へ記録できない状態で撮影を行う場合、通信用のバッファメモリにのみ撮影画像が記録されることになる。バッファメモリ中の撮影画像はいずれ削除されてしまうにも係わらず、その撮影画像が記録媒体にも記録されている撮影画像なのか、あるいはバッファメモリにしか記録されていない撮影画像なのかを区別することができない。
【課題を解決するための手段】
【０００５】
請求項１に係る発明は、被写体を撮像し画像信号を出力する撮像手段と、前記画像信号を記録可能な記録手段と、前記記録手段に記録されている画像信号を、外部装置へ送信する通信手段と、記録媒体が着脱可能に取り付けられる取付手段と、前記撮像手段が出力した画像信号を前記記録媒体へ記録可能か記録不可能かを判定する判定手段と、前記判定手段が前記記録可能と判定した場合には、前記撮像手段が出力した画像信号を前記記録手段および前記記録媒体の両方へ記録し、前記判定手段が前記記録不可能と判定した場合には、前記撮像手段が出力した画像信号を前記記録手段へ記録し前記記録媒体には記録しない第１の記録制御手段と、前記撮像手段の出力した画像信号が前記第１の記録制御手段により前記記録手段および前記記録媒体の両方へ記録されたか否かを表すバックアップ有無情報を記録する第２の記録制御手段と、前記バックアップ有無情報に基づいて、前記記録手段に記録されている画像信号のうち同一の画像信号が前記記録媒体にも記録されている画像信号を、前記通信手段を介して前記外部装置へ送信し、送信した前記画像信号を前記記録手段から削除する削除手段と、を備えることを特徴とするカメラである。
【発明の効果】
【０００６】
本発明によれば、記録手段に記録されている各々の撮影画像について、記録媒体に複製が存在するか否かを知ることができる。
【図面の簡単な説明】
【０００７】
【図１】第１の実施の形態によるカメラと、カメラと協調して動作する管理装置とを示す図である。
【図２】第１の実施の形態によるカメラ１の詳細な構成を示すブロック図である。
【図３】第１の実施の形態による管理装置２の詳細な構成を示すブロック図である。
【図４】バックアップ有無情報ファイルの構造を示す図である。
【図５】通信部１７ｃが管理装置２へ送信するファイルリストを示す図である。
【図６】表示装置３７へ表示される画面を示す図である。
【図７】カメラ１の通信モードにおける撮影処理のフローチャートである。
【発明を実施するための形態】
【０００８】
（第１の実施の形態）
図１は、第１の実施の形態によるカメラと、カメラと協調して動作する管理装置とを示す図である。１台の管理装置２に対し、１つ以上のカメラ１が、無線ＬＡＮネットワーク３を介して接続される。各々のカメラ１から管理装置２へ、撮影画像データを含む画像ファイルやそのサムネイル画像データが管理装置２へ転送される。管理装置２は、カメラ１から受信した撮影画像データやサムネイル画像データを後述する表示装置へ表示する。
【０００９】
図２は、第１の実施の形態によるカメラ１の詳細な構成を示すブロック図である。カメラ１は、撮影レンズ１１，撮像素子１２，焦点調節装置１３，入力装置１４，通信回路１５，無線アンテナ１６，制御回路１７，ＤＲＡＭ１８，フラッシュメモリ１９，ＬＣＤ駆動回路２０，液晶モニタ２１，第１メモリカードインタフェース（Ｉ／Ｆ）２２，および第２メモリカードＩ／Ｆ２４を備える。第１メモリカードＩ／Ｆ２２には第１記録媒体２３が、第２メモリカードＩ／Ｆ２４には第２記録媒体２５が装着される。
【００１０】
撮影レンズ１１は、フォーカスレンズを含む光学系であり、被写体像を撮像素子１２の撮像面上に結像させる。撮像素子１２は、画素に対応する複数の光電変換素子を備えたＣＣＤやＣＭＯＳイメージセンサによって構成される。撮像素子１２は、撮像面上に結像されている被写体像を撮像し、被写体像の明るさに応じた光電変換信号（画像信号）を制御回路１７へ出力する。撮像素子１２の撮像面には、それぞれＲ（赤）、Ｇ（緑）およびＢ（青）のカラーフィルタが画素位置に対応するように設けられている。撮像素子１２がカラーフィルタを通して被写体像を撮像するため、各撮像素子から出力される画像信号は、それぞれＲＧＢ表色系の色情報を有する。
【００１１】
焦点調節装置１３は、制御回路１７から出力される焦点評価値に基づいて、焦点評価値が最大となる位置へ撮影レンズ１１を移動する。焦点評価値は、制御回路１７が撮像素子１２から出力される撮像信号に基づいて行う周知の焦点評価値演算の演算結果である。
【００１２】
入力装置１４は、レリーズボタン（不図示）などの種々の操作ボタンを含み、操作者による各操作ボタンの操作信号を制御回路１７へ出力する。通信回路１５は、制御回路１７が管理装置２と無線通信を行うための回路であり、無線アンテナ１６が接続されている。
【００１３】
ＤＲＡＭ１８は、画像処理、画像圧縮処理および表示用画像データ作成処理の途中や処理後のデータを一時的に格納するために使用される。表示用画像データは、制御回路１７が撮像素子１２からの出力に基づいて生成した画像データ、もしくは記憶媒体に記録されている画像データに基づいて、制御回路１７により生成される。生成された表示用画像データは、制御回路１７によりＤＲＡＭ１８に格納される。フラッシュメモリ１９は、前述した制御回路１７が実行する制御プログラムなどが記録された不揮発性メモリである。
【００１４】
ＬＣＤ駆動回路２０は制御回路１７の命令に基づいて液晶モニタ２１を駆動し、液晶モニタ２１はＤＲＡＭ１８に格納された表示用画像データに基づいて画像を表示する。また、液晶モニタ２１は、カメラ１の各種設定メニュー画面の表示を行なう。第１メモリカードＩ／Ｆ２２は第１記録媒体２３の読み書きを行うためのインタフェース回路であり、第２メモリカードＩ／Ｆ２４は第２記録媒体２５の読み書きを行うためのインタフェース回路である。
【００１５】
制御回路１７は例えばＲＩＳＣ等で構成された回路であり、フラッシュメモリ１９から所定の制御プログラムを読み込んで実行することによって、図２に示した各部の制御を行う。制御回路１７はソフトウェア形態により撮像制御部１７ａ，画像記録部１７ｂ，通信部１７ｃ，記録可否判定部１７ｄ，バックアップ情報記録部１７ｅ，および画像削除部１７ｆを備える。これらの各部は、制御回路１７がフラッシュメモリ１９に記録されている所定の制御プログラムを実行することにより、ソフトウェア的に実現される。
【００１６】
撮像制御部１７ａは、画像データを作成してＤＲＡＭ１８へ格納する。操作者がレリーズボタンを押下すると、入力装置１４から制御回路１７へ入力信号が出力される。撮像制御部１７ａはこの入力信号に応じて撮像素子１２に撮像を行わせると共に、撮像素子１２が出力する画像信号に対して種々の画像処理を行い画像データを作成する。
【００１７】
画像記録部１７ｂは、撮像制御部１７ａにより作成された画像データに対してＪＰＥＧなどの所定の方式により圧縮処理を行い、ＥＸＩＦなどの形式の画像ファイルとして第１記録媒体２３および第２記録媒体２５へ記録する。このとき記録される画像ファイルには、撮像制御部１７ａにより作成された画像データを所定のサイズに縮小したサムネイル画像データが含まれる。通信部１７ｃは、通信回路１５を介して管理装置２との通信を行う。
【００１８】
記録可否判定部１７ｄは、第１メモリカードＩ／Ｆ２２を介して第１記録媒体２３の状態を調べ、第１記録媒体２３へ画像ファイルを記録可能か記録不可能かを判定する。例えば、第１メモリカードＩ／Ｆ２２へ第１記録媒体２３が取り付けられていない場合、ならびに、第１メモリカードＩ／Ｆ２２へ取り付けられている第１記録媒体２３に十分な空き容量が存在しない場合に、記録可否判定部１７ｄは画像ファイルを記録不可能であると判定する。
【００１９】
バックアップ情報記録部１７ｅは、第２記録媒体２５へバックアップ有無情報を記録する。なおバックアップ有無情報については後に詳述する。画像削除部１７ｆは、第２記録媒体２５に記録されている画像ファイルのうち所定条件を満たす画像ファイルを少なくとも１つ削除し、第２記録媒体２５の空き容量を確保する。この所定条件については後に詳述する。
【００２０】
図３は、第１の実施の形態による管理装置２の詳細な構成を示すブロック図である。管理装置２は、入力装置３１，通信回路３２，無線アンテナ３３，制御回路３４，ＤＲＡＭ３５，フラッシュメモリ３６，表示装置３７，およびＨＤＤ３８を備える。
【００２１】
入力装置３１は例えばキーボードやマウス等の入力デバイスである。通信回路３２は、制御回路３４がカメラ１と無線通信を行うための回路であり、無線アンテナ３３が接続されている。ＤＲＡＭ３５は、制御回路３４が実行する制御プログラムの作業領域として用いられる記憶装置である。フラッシュメモリ３６は、前述した制御回路３４が実行する制御プログラムなどが記録された不揮発性メモリである。表示装置３７は例えば液晶モニタなどの表示装置であり、制御回路３４により種々の画像やメッセージが表示される。ＨＤＤ３８は制御回路３４が実行する制御プログラムや画像ファイル等が記録される記録装置である。
【００２２】
制御回路３４は例えばＲＩＳＣ等で構成された回路であり、フラッシュメモリ３６およびＨＤＤ３８から所定の制御プログラムを読み込んで実行することによって、図３に示した各部の制御を行う。制御回路３４はソフトウェア形態により通信部３４ａ，およびサムネイル表示部３４ｂを備える。これらの各部は、制御回路３４が所定の制御プログラムを実行することにより、ソフトウェア的に実現される。通信部３４ａは、通信回路３２を介してカメラ１との通信を行う。サムネイル表示部３４ｂは、通信部３４ａにより受信されたサムネイル画像データを表示装置３７へ表示する。
【００２３】
次に、カメラ１の動作モードについて説明する。カメラ１は動作モードとして通常モードと通信モードとを有し、いずれか一方の動作モードで動作する。カメラ１の操作者は、入力装置１４を用いてカメラ１の動作モードを変更することが可能である。カメラ１の操作者によりカメラ１の動作モードが通信モードに設定されると、カメラ１は後述する通信動作を開始する。なお、第２記録媒体２５が装着されていない場合、カメラ１を通信モードに設定することはできない。また、通信モードに設定されている間、カメラ１から第２記録媒体２５を取り外すことは禁止される。
【００２４】
カメラ１が通信モードに設定されているとき、カメラ１を用いた撮影が行われると、記録可否判定部１７ｄにより、撮影画像データを格納した画像ファイルを第１記録媒体２３へ記録することが可能か不可能かの判定が行われる。例えば、第１記録媒体２３が第１メモリカードＩ／Ｆ２２へ装着されていない場合や、第１記録媒体２３の空き容量が記録しようとしている画像ファイルのサイズよりも小さい場合には、記録可否判定部１７ｄは記録不可能であると判定する。画像記録部１７ｂは、記録可否判定部１７ｄが記録可能であると判定した場合には撮影画像データを格納した画像ファイルを第１記録媒体２３および第２記録媒体２５の両方に記録する。他方、記録可否判定部１７ｄが記録不可能であると判定した場合には、記録可否判定部１７ｄは画像ファイルを第２記録媒体２５にのみ記録する。
【００２５】
カメラ１が通信モードに設定された時、バックアップ情報記録部１７ｅは第２記録媒体２５にバックアップ有無情報ファイルを作成する。このファイルには、第２記録媒体２５に格納されている画像ファイルのうち、画像記録部１７ｂが第１記録媒体２３にも記録した画像ファイルの一覧が格納される。バックアップ有無情報ファイルは作成された当初は空のファイルである。画像記録部１７ｂにより画像ファイルが第１記録媒体２３と第２記録媒体２５とへ記録される度に、バックアップ情報記録部１７ｅによりバックアップ有無情報ファイルが更新される。
【００２６】
図４は、バックアップ有無情報ファイルの構造を示す図である。バックアップ有無情報ファイル４０には、第１記録媒体２３と第２記録媒体２５の両方に記録された画像ファイルのファイル名が格納される。例えば図４の最上行４１には、「DSC_0004.JPG」というファイル名の画像ファイルが、第１記録媒体２３と第２記録媒体２５の両方に記録されたことが示されている。
【００２７】
カメラ１が通信モードに設定された状態で撮影を繰り返すと、第２記録媒体２５には画像ファイルが次々に作成され、第２記録媒体２５の空き容量は減少する。撮影の際、第２記録媒体２５の空き容量が不足し、そのままでは画像ファイルを記録できない時、画像削除部１７ｆは第２記録媒体２５に記録されている画像ファイルを削除し、これから記録しようとしている画像ファイルに対し十分な空き容量を確保する。画像削除部１７ｆが画像ファイルを削除すると、バックアップ情報記録部１７ｅは削除された画像ファイルのファイル名を、第２記録媒体に記録されているバックアップ有無情報ファイル４０から削除する。
【００２８】
画像削除部１７ｆは削除する画像ファイルを決定するために、第２記録媒体２５に記録されているバックアップ有無情報ファイル４０を参照する。そして、第２記録媒体２５に記録されている画像ファイルのうち、バックアップ有無情報ファイル４０に含まれる画像ファイルのみを削除対象とする。すなわち、第１記録媒体２３に記録されず、第２記録媒体２５にのみ記録された画像ファイルは、削除対象としない。画像削除部１７ｆは、削除対象となった画像ファイルのうちもっとも撮影日時が古いものから、十分な空き容量が確保されるまで順に削除する。
【００２９】
次に、カメラ１と管理装置２との通信について説明する。通信モードに設定されたカメラ１は、まず「ファイルリスト更新通知」を管理装置２へ送信する。「ファイルリスト更新通知」を受信した管理装置２は、この通知の送信元のカメラ１へ「ファイルリスト取得要求」を送信する。カメラ１は「ファイルリスト取得要求」に応じて、第２記録媒体２５に記録されている画像ファイルのファイルリストを作成し、管理装置２へ送信する。
【００３０】
図５は、通信部１７ｃが管理装置２へ送信するファイルリストを示す図である。図５に示すようにファイルリスト５０は、第２記録媒体２５に記録されている画像ファイルのファイル名５１の一覧と、各々の画像ファイルの撮影日時５２と、から構成されるリストである。例えば図５に示すファイルリスト５０の最上行５３には、第２記録媒体２５に「DSC_0001.JPG」という画像ファイルが記録されていること、ならびに、この画像ファイルの撮影日時が「2007/06/06 13:24:35」であることが示されている。
【００３１】
ファイルリスト５０を受信した管理装置２は、ファイルリスト５０に含まれる各々の画像ファイルについて、「サムネイル画像取得要求」をカメラ１へ送信する。カメラ１はこれに応じて、各々の「サムネイル画像取得要求」に対応する画像ファイルからサムネイル画像データを取り出し、管理装置２へ送信する。管理装置２は受信したサムネイル画像データに基づき、表示装置３７へサムネイル画像を表示する。
【００３２】
図６は、表示装置３７へ表示される画面を示す図である。画面６０は上部のサムネイル表示部６０ａと、下部のファイル情報表示部６０ｂと、から構成される。サムネイル表示部６０ａにはカメラ１から受信したサムネイル画像データに基づくサムネイル画像６２が複数表示されている。管理装置２の操作者は、サムネイル画像６２の各々に対応する画像ファイルのうち、いずれか１つを選択することが可能である。選択されている画像ファイルに対応するサムネイル画像６２の周囲には、矩形のカーソル６１が表示される。
【００３３】
ファイル情報表示部６０ｂには、現在選択されている画像ファイルの情報と、ファイル取得ボタン６４と、が表示される。図６では、画像ファイルの情報として、画像ファイルを作成したカメラ１の装置名、画像ファイルのファイル名、ならびに、画像ファイルの撮影日時が表示されている。
【００３４】
管理装置２の操作者が入力装置３１を用いてファイル取得ボタン６４を押下すると、管理装置２は現在選択されている画像ファイルの「ファイル取得要求」をカメラ１へ送信する。カメラ１はこれに応じて、第２記録媒体２５に記録されている、「ファイル取得要求」に対応する画像ファイルを管理装置２へ送信する。管理装置２は受信した画像ファイルをＨＤＤ３８に格納すると共に、この画像ファイルに対応するサムネイル画像６２の左上隅にファイル取得済みマーク６３を表示する。ＨＤＤ３８に格納された画像ファイルは、管理装置２上で表示や編集が可能である。
【００３５】
カメラ１は、画像記録部１７ｂによる第２記録媒体２５への新しい画像ファイルの記録や、画像削除部１７ｆによる第２記録媒体２５からの画像ファイルの削除など、第２記録媒体２５に記録されている画像ファイルが変化する度に、管理装置２へ「ファイルリスト更新通知」を送信する。管理装置２は「ファイルリスト更新通知」を受信すると、前述の場合と同様にファイルリストおよびサムネイル画像を取得し、表示装置３７の画面を更新する。具体的には、新しく作成された画像ファイルに対応するサムネイル画像を画面に追加表示したり、削除された画像ファイルに対応するサムネイル画像を画面から削除したりする。
【００３６】
図７は、カメラ１の通信モードにおける撮影処理のフローチャートである。まずステップＳ１１では記録可否判定部１７ｄが、第１記録媒体２３が取り付け済みか否かを判定する。第１記録媒体２３が取り付けられていない場合にはステップＳ１４へ進む。他方、第１記録媒体２３が取り付けられている場合にはステップＳ１２へ進む。ステップＳ１２では、記録可否判定部１７ｄが、これから記録しようとしている画像ファイルに対し十分な空き容量が第１記録媒体２３に存在するか否かを判定する。空き容量が足りない場合にはステップＳ１４へ進む。他方、空き容量が十分に存在する場合にはステップＳ１３へ進み、画像記録部１７ｂが第１記録媒体２３へ画像ファイルを記録する。
【００３７】
ステップＳ１４では、画像記録部１７ｂが、これから記録しようとしている画像ファイルに対し十分な空き容量が第２記録媒体２５に存在するか否かを判定する。空き容量が足りない場合にはステップＳ１５へ進む。ステップＳ１５では、画像削除部１７ｆが第２記録媒体２５に記録されているバックアップ有無情報ファイルを参照し、バックアップ有無情報ファイルに含まれているファイルのうち撮影日時がもっとも古いファイルを１つ削除する。ステップＳ１６では、画像削除部１７ｆが第２記録媒体２５に記録されているバックアップ有無情報ファイルからステップＳ１５で削除した画像ファイルのファイル名を削除し、ステップＳ１４へ戻る。第２記録媒体２５に十分な空き容量が確保されるまで、ステップＳ１４からステップＳ１６の処理を繰り返す。
【００３８】
他方、ステップＳ１４において肯定判定がなされた場合にはステップＳ１７へ進む。ステップＳ１７では、画像記録部１７ｂが第２記録媒体２５へ新しい画像ファイルを記録する。ステップＳ１８では、バックアップ情報記録部１７ｅが、第２記録媒体２５に記録されているバックアップ有無情報ファイル４０から、削除された画像ファイルのファイル名を削除する。以上に説明した流れで、通信モードにおけるカメラ１の撮影処理が実行される。
【００３９】
上述した第１の実施の形態によるカメラによれば、次の作用効果が得られる。
（１）バックアップ情報記録部１７ｅは、画像記録部１７ｂにより第１記録媒体２３および第２記録媒体２５の両方へ記録された画像ファイルの一覧が格納されたバックアップ有無情報ファイル４０を第２記録媒体２５へ記録する。これにより、第２記録媒体２５に記録されている各々の画像ファイルについて、第１記録媒体２３に複製が存在するか否かを知ることができる。
【００４０】
（２）画像記録部１７ｂは、撮像制御部１７ａが作成した画像データを可能であれば第１記録媒体２３および第２記録媒体２５の両方へ記録する。これにより、第２記録媒体２５の画像ファイルが削除された後であっても、第１記録媒体２３からその画像ファイルを取得することができる。
【００４１】
（３）画像記録部１７ｂは、撮像制御部１７ａが作成した画像データを第１記録媒体２３へ記録不可能な場合には、第２記録媒体２５へのみ記録する。これにより、第１記録媒体２３の状態に依らず撮影を継続することができる。
【００４２】
（４）画像削除部１７ｆは、第２記録媒体２５に記録されているバックアップ有無情報ファイル４０に基づいて、第２記録媒体２５に記録されている画像ファイルのうち同一の画像ファイルが第１記録媒体２３にも記録されている画像ファイルを少なくとも１つ削除し、第２記録媒体２５の空き容量を確保する。これにより、第２記録媒体２５にのみ記録されている画像ファイルが削除されることがない。
【００４３】
（５）画像記録部１７ｂは、撮像制御部１７ａが作成した画像データを第２記録媒体２５へ記録する際、第２記録媒体２５の空き容量が不足していた場合には、画像削除部１７ｆに第２記録媒体２５の空き容量を確保させる。これにより、第２記録媒体２５に画像ファイルを記録可能な状態が常に保たれる。
【００４４】
次のような変形も本発明の範囲内であり、変形例の一つ、もしくは複数を上述の実施形態と組み合わせることも可能である。
【００４５】
（変形例１）
第２記録媒体２５は着脱可能ではなくてもよい。例えば、第２記録媒体２５の代わりにカメラ１が内蔵するフラッシュメモリ１９を、画像ファイルおよびバックアップ有無情報ファイルを記録するために用いてもよい。
【００４６】
（変形例２）
第１記録媒体２３および第２記録媒体２５の両方に記録された画像ファイルであるという情報は、バックアップ有無情報ファイル以外の場所に記録してもよい。例えば、画像ファイルのヘッダ部に両方の記録媒体に記録された画像ファイルであるという情報を付加してもよいし、カメラ１のフラッシュメモリ１９へ記録してもよい。
【００４７】
（変形例３）
画像削除部１７ｆによる画像ファイルの削除は、バックアップ有無情報ファイルだけに基づいて行われる必要はない。例えば、第１記録媒体２３および第２記録媒体２５の両方に記録された画像ファイルのうち、管理装置２に送信されたことのある画像ファイルを優先して削除するようにしてもよい。
【００４８】
（変形例４）
画像削除部１７ｆによる画像ファイルの削除は、第２記録媒体２５の空き容量が不足した時以外に行ってもよい。例えば、管理装置２へ画像ファイルを送信した時に、その画像ファイルを第２記録媒体２５から削除するようにしてもよい。
【００４９】
（変形例５）
バックアップ有無情報ファイルの利用目的は、画像削除部１７ｆによる画像ファイルの削除に限定されない。例えば、カメラ１の操作者が第２記録媒体２５から画像ファイルを手動で削除する際に、第１記録媒体２３に記録されていない画像ファイルであれば警告が表示されるようにしてもよいし、通信部１７ｃによりバックアップ有無情報ファイルが管理装置２へ送信されるようにし、管理装置２が第１記録媒体２３に記録されていない画像ファイルを強調表示するようにしてもよい。あるいは、カメラ１の動作モードを通信モードから通常モードに変更した時、バックアップ有無情報ファイルに含まれる画像ファイルを全て第２記録媒体２５から削除するようにしてもよい。
【００５０】
（変形例６）
カメラ１の操作者が第１記録媒体２３から手動で画像ファイルを削除する際、第２記録媒体２５からも同一の画像ファイルを削除するようにしてもよい。これは、操作者が削除しようとする画像ファイルは、例えば明らかに撮影を失敗した画像ファイルなど不要なファイルであり、第２記録媒体２５に残しておく意味がないと考えられるからである。あるいは、操作者が誤操作によりファイルを削除してしまう場合を考慮し、操作者が第１記録媒体２３から画像を削除しても、第２記録媒体２５からは画像ファイルを削除しないようにしてもよい。この場合、第２記録媒体２５に記録されているバックアップ有無情報ファイルから、操作者が削除した画像ファイルを削除し、第２記録媒体２５に記録されている画像ファイルが画像削除部１７ｆにより削除されないようにするのが望ましい。
【００５１】
（変形例７）
バックアップ有無情報ファイルの記録方式は、第１の実施の形態のように、「第１記録媒体２３および第２記録媒体２５の両方に記録された画像ファイルのファイル名一覧」以外であってもよい。例えば、第２記録媒体２５にのみ記録された画像ファイルのファイル名一覧であってもよい。また、画像ファイルを特定するためにファイル名以外の情報を用いてもよい。例えば、ファイル名と共にファイルの作成日時やファイルサイズを記録するようにしてもよいし、画像ファイルのハッシュ値を記録するようにしてもよい。
【００５２】
（変形例８）
通信回路１５，無線アンテナ１６，および第２記録媒体２５は、カメラ１に内蔵されていなくてもよい。例えば特許文献１に記載されている電子カメラのように、外付けのトランスミッタを用いるようにしてもよい。
【００５３】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００５４】
１  カメラ
２  管理装置
１７ａ  撮像制御部
１７ｂ  画像記録部
１７ｃ  通信部
１７ｄ  記録可否判定部
１７ｅ  バックアップ情報記録部
１７ｆ  画像削除部
【図１】
0005487758.tif 000002
【図２】
0005487758.tif 000003
【図３】
0005487758.tif 000004
【図４】
0005487758.tif 000005
【図５】
0005487758.tif 000006
【図６】
0005487758.tif 000007
【図７】
0005487758.tif 000008